(57)【特許請求の範囲】
【請求項１】
天井に吊り下げられる板金製の外箱を備え、この外箱内に断熱材を備え、この断熱材の内側に送風機及び熱交換器を備えた天井埋込型空気調和装置において、
前記外箱が略コ字形に曲げられた外箱本体と、この外箱本体の両端に取り付けられた一対の端板とで分割構成され、この外箱の内側に配置される前記断熱材が、各端板に対応して配置され、前記端板の縁部に対応する位置から外箱の内側形状に沿って延びる略コ字形状を有する一対の発泡スチロール製の端部材と、外箱の長手側に配置され、前記端部材の略コ字形状の先端部間をつなぐ平板形状を有するポリエチレン製のつなぎ部材とで分割構成され、前記つなぎ部材に対応した前記外箱の長手側の壁面に、オプション品を取り付けるためのノックアウトホールを備えたことを特徴とする天井埋込型空気調和装置。
【発明の詳細な説明】
【０００１】
【発明の属する技術分野】
本発明は、天井に吊り下げられる板金製の外箱を備えた天井埋込型空気調和装置の構造に関する。
【０００２】
【従来の技術】
一般に、２方向カセットや４方向カセット等と呼称される天井埋込型の空気調和装置であって、天井に吊り下げられる板金製の外箱を備え、この外箱内に、全体が発泡スチロール製の断熱材を備え、この断熱材の内側に送風機及び熱交換器を備えた天井埋込型空気調和装置が知られている。
【０００３】
【発明が解決しようとする課題】
この種のものでは、板金製の外箱の外壁に対し、加湿器等のオプション品が取り付けられる場合がある。この場合、従来では、板金製の外箱に形成されたノックアウトホールを打ち抜いてオプション品を取り付ける開口を形成するが、この際、板金製の外箱の内側に配置された発泡スチロールにも同時に開口を形成することになる。このとき、発泡スチロールから切り粉が発生し、その切り粉の処理が困難になるという問題がある。
【０００４】
また、従来の断熱材は、全体が箱形を呈し、嵩が増しており、これを積み重ねて、発泡スチロールの製造工場からアセンブリ工場に搬送するとなると、搬送効率が著しく悪いという問題がある。
【０００５】
そこで、本発明の目的は、上述した従来の技術が有する問題点を解消し、オプション品を取り付ける開口を形成する場合、切り粉の処理を行う必要がなく、断熱材を積み重ねて搬送する場合の搬送効率を向上させた、天井埋込型空気調和装置及びその製造方法を提供することにある。
【０００６】
【課題を解決するための手段】
上記目的を達成するため、請求項１記載の発明は、天井に吊り下げられる板金製の外箱を備え、この外箱内に断熱材を備え、この断熱材の内側に送風機及び熱交換器を備えた天井埋込型空気調和装置において、前記外箱が略コ字形に曲げられた外箱本体と、この外箱本体の両端に取り付けられた一対の端板とで分割構成され、この外箱の内側に配置される前記断熱材が、各端板に対応して配置され、前記端板の縁部に対応する位置から外箱の内側形状に沿って延びる略コ字形状を有する一対の発泡スチロール製の端部材と、外箱の長手側に配置され、前記端部材の略コ字形状の先端部間をつなぐ平板形状を有するポリエチレン製のつなぎ部材とで分割構成され、前記つなぎ部材に対応した前記外箱の長手側の壁面に、オプション品を取り付けるためのノックアウトホールを備えたことを特徴とするものである。
【００１０】
【発明の実施の形態】
以下、本発明の一実施形態を添付図面に従って説明する。
【００１１】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１２】
この室内機本体１は、被調和室の天井に複数本の吊りボルト（図示せず）を介して吊り下げられ、この室内機本体１の下側を向いた開口面には、化粧パネル９が重ね合わせて取り付けられている。
【００１３】
図２は、室内機本体１を示す分解斜視図である。
【００１４】
この室内機本体１は、板金製の外箱１１を有している。この外箱１１は、略コ字形に曲げられた外箱本体１１Ａと、この外箱本体１１Ａの両端に取り付けられた一対の端板１１Ｂとを備えて分割構成されている。この外箱１１の内側には断熱材１３が配置されている。この断熱材１３は、各端板１１Ｂに対応して配置された一対の発泡スチロール製の端部材１３Ａと、これら端部材１３Ａ間をつなぐ、例えばポリエチレン製のつなぎ部材１３Ｂとで分割構成されている。５は略Ｕ字形に形成された熱交換器、１５はドレンポンプである。
【００１５】
図３は、室内機本体１とドレンパン７とを示す分解斜視図である。
【００１６】
この室内機本体１が組み立てられた後、外箱１の開口内には、発泡スチロール製のドレンパン７が嵌合される。このドレンパン７の中央には、大きな吸込み開口７Ａが形成され、この開口７Ａの両側には、一対の細長い吹出し開口７Ｂが形成されている。すなわち、送風機３によって、吸込み開口７Ａを通じて吸い込まれた室内空気が、外箱１１の内側に配置された熱交換器５によって熱交換され、この熱交換された調和空気が、吸込み開口７Ａの両側に形成された一対の細長い吹出し開口７Ｂを通じて室内に吹き出される。
【００１７】
１７は板金製の補強金具であり、この補強金具１７は、ドレンパン７の吸込み開口７Ａの側縁部に宛われ、補強金具１７の両端が、ねじ１９を介して、外箱１１の端板１１Ｂの上縁部１１Ｃに固定されている。
【００１８】
この板金製の外箱１１は変形し、撓みやすい。そこで、外箱１１の略中央部に、外箱１１の外壁とドレンパン７の固定部間に掛け渡された、センター金具２１が設けられ、このセンター金具２１によって、外箱１１の天板１１Ｄの反り、及び外箱１１の中央部の開きが防止されている。
【００１９】
図４は、室内機本体１に送風機３を組み込む手順を示している。
【００２０】
この送風機３は、箱形に形成された板金製の仕切り板４１に固定され、この仕切り板４１は、複数本のビスを介して、室内機本体１（補強板１７）に固定されている。具体的には、この送風機３は中央部にモータ３１を配置し、このモータ３１の両側の出力軸に羽根車３２を備えて構成されている。この羽根車３２はファンケース３３によって囲われ、このファンケース３３は、上ケース３３Ａと下ケース３３Ｂとに上下２分割されている。
【００２１】
上ケース３３Ａの両側には、図４Ｂに示すように、フランジ３６が一体的に形成され、この上ケース３３Ａは、その一部３３Ｃを仕切り板４１の外に突出させて、該仕切り板４１の開口に装着され、このフランジ３６は、該フランジ３６にビスを通して仕切り板４１に固定されている。
【００２２】
この仕切り板４１は、図１に示すように、上述した外箱１１の内部を上下に仕切っており、仕切り板４１の下方には一次空間４１Ａが形成され、仕切り板４１の上方には二次空間４１Ｂが形成されている。
【００２３】
上ケース３３Ａは、フランジ３６を介して、仕切り板４１に固定されるため、仕切り板４１の強度が増大し、しかも一次空間４１Ａと二次空間４１Ｂとの間のシール性を向上させることができる。
【００２４】
上記送風機３は、空気吸込み口を仕切り板４１の下の一次空間４１Ａに臨ませ、空気吹き出し口を仕切り板４１の上の二次空間４１Ｂに臨ませ、上ケース３３Ａのフランジ３６よりも上に位置するファンケースの一部３３Ｃを仕切り板４１の上の二次空間４１Ｂに臨ませている。
【００２５】
上記構成では、図１を参照し、上ケース３３Ａのフランジ３６よりも上に位置するファンケースの一部３３Ｃを、仕切り板４１の開口を通じて、上の二次空間４１Ｂに臨ませているため、従来のように、外箱１１内に設置された仕切り板４１の下の一次空間４１Ａ内に、送風機３のファンケース３３のすべてを収容したものに比べて、その分だけ仕切り板４１の位置が低くなるため、従来とほぼ等価の風路を、外箱１１内に十分に確保した上で、当該外箱１１の高さ方向の寸法を低く抑えることができる。
【００２６】
従って、天井裏の高さが低いビル等の建物に対しても、その天井裏に簡単に設置することができる等の効果が得られる。
【００２７】
本実施形態では、図２に示すように、外箱１１の長手側に位置する外箱本体１１Ａの両壁面に、種々の形状をしたノックアウトホール５１〜５４が形成されている。ノックアウトホール５２の位置に、図１に示すように、加湿器（オプション品）５５を取り付ける場合、まず、ノックアウトホール５２を打ち抜き、ついで、その内側に位置するポリエチレン製のつなぎ部材１３Ｂを、ノックアウトホール５２と略同一形状に切り欠いて開口５６を形成する。
【００２８】
そして、この切り欠いた開口５６に、加湿器５５を、加湿部５５Ａが外箱１１の内側に臨むようにして取り付ける。
【００２９】
この構成では、ノックアウトホール５２の内側にポリエチレン製のつなぎ部材１３Ｂが位置するため、ノックアウトホール５２と略同一形状につなぎ部材１３Ｂを切り欠く場合、切り粉の発生が抑制される。従って、オプション品を取り付ける場合の切り粉の処理をほとんど必要としない。このつなぎ部材１３Ｂは、ポリエチレン製に限定されるものではなく、切り粉を抑制でき断熱性を有する部材であればいかなる部材であってもよい。
【００３０】
また、本実施形態では、断熱材１３が、外箱１１の短手側に配置された一対の発泡スチロール製の端部材１３Ａと、外箱１１の長手側に配置されたつなぎ部材１３Ｂとで分割構成されているため、端部材１３Ａとつなぎ部材１３Ｂとを別々に梱包して搬送することができる。
【００３１】
端部材１３Ａは発泡スチロール製であって嵩が増すが、全体が箱形を呈した従来の発泡スチロール製の断熱材と比較し、これを積み重ねたとしても、嵩の増す率が格段に少なくなり、例えば、発泡スチロールの製造工場からアセンブリ工場に搬送する場合等の搬送効率を格段に向上させることができる。
【００３２】
以上、一実施の形態に基づいて本発明を説明したが、本発明は、これに限定されるものでないことは明らかである。
【００３３】
【発明の効果】
本発明によれば、オプション品を取り付ける場合の切り粉の処理が必要なくなり、断熱材を積み重ねて搬送する場合の搬送効率を従来のものに比べて格段に向上させることができる。
【図面の簡単な説明】
【図１】本発明による天井埋込型空気調和装置の一実施形態を示す断面図である。
【図２】空気調和機本体の分解斜視図である。
【図３】空気調和機本体とドレンパンの分解斜視図である。
【図４】空気調和機本体とドレンパンと送風機の分解斜視図である。
【符号の説明】
１  室内機本体
３  送風機
５  熱交換器
１１  外箱
１１Ａ  外箱本体
１１Ｂ  端板
１３  断熱材
１３Ａ  端部材
１３Ｂ  つなぎ部材
５５  加湿器（オプション品）
５６  開口
【図１】
0003935736.tif 000002
【図２】
0003935736.tif 000003
【図３】
0003935736.tif 000004
【図４】
0003935736.tif 000005